(57)【要約】      （修正有）【課題】持ち上げ作業又は折り畳み作業を自動的に完成でき、サブ眼鏡フレームの跳ね上げた後の位置決めが非常に正確になる跳ね上げ式眼鏡を提供する。【解決手段】主眼鏡フレーム１は主鏡枠を有し、主鏡枠の真中のブリッジ接続部には水平に前方へ延びる接続シート１３が接続され、接続シートには対向する二つの係合溝１３１が開設され、接続シートの前端縁と係合溝との間に矩形の位置決め部１３２が形成されている。サブ眼鏡フレーム２はサブ鏡枠を有し、サブ鏡枠の真中のブリッジ接続部の上縁には対向する二つの溝２１２が形成されている。掛止ドーム３は、シート状部と、シート状部の上縁に形成され外に折り曲げられる二つの鉤状部３２とを有する。シート状部がサブ鏡枠のブリッジ接続部の内側に固定され、鉤状部が二つの係合溝を貫通し位置決め部を押さえ二つの溝に当接されることで、位置決め部がサブ鏡枠のブリッジ接続部と鉤状部によって挟持される。【選択図】図１
0003215524.tif 000002
【実用新案登録請求の範囲】
【請求項１】
二つのテンプルが二つの外側端に接続されて、水平に前方へ延びる接続シートが真中のブリッジ接続部に接続されている主鏡枠を備える主眼鏡フレームと、
対向する二つの溝が真中のブリッジ接続部の上縁に形成されているサブ鏡枠を有するサブ眼鏡フレームと、
前記主鏡枠と前記サブ鏡枠との間に位置し、シート状部と、前記シート状部の上縁に形成されるとともに外に折り曲げられる二つの鉤状部を有する掛止ドームとを備え、
前記接続シートには対向する二つの係合溝が開設されており、前記接続シートの前端縁と前記二つの係合溝との間に矩形の二つの位置決め部が形成され、
前記シート状部が前記サブ鏡枠の前記ブリッジ接続部の内側に固定され、前記二つの鉤状部が前記二つの係合溝を貫通し前記二つの位置決め部を押さえ前記二つの溝に当接されることで、前記二つの位置決め部が前記サブ鏡枠の前記ブリッジ接続部と前記二つの鉤状部によって挟持されることを特徴とする、跳ね上げ式眼鏡。
【請求項２】
前記接続シートの後端縁が前記主鏡枠の前記ブリッジ接続部の上縁に一体的に接続されることを特徴とする、請求項１に記載の跳ね上げ式眼鏡。
【請求項３】
前記主鏡枠には二つの第１の眼鏡レンズが装着されており、前記サブ鏡枠には二つの第２の眼鏡レンズが装着されていることを特徴とする、請求項１に記載の跳ね上げ式眼鏡。
【請求項４】
前記シート状部の末端がカシメ方式により前記サブ鏡枠の前記ブリッジ接続部の内側に固定されることを特徴とする、請求項１に記載の跳ね上げ式眼鏡。
【請求項５】
前記接続シートの後端縁に弾性係止材が接続されており、前記接続シートが前記弾性係止材を介して前記主鏡枠の前記ブリッジ接続部に接続されることを特徴とする、請求項１に記載の跳ね上げ式眼鏡。
【請求項６】
前記弾性係止材は、Ｕ字型ドームと、前記Ｕ字型ドームの末端縁から後ろに延在し形成されるボタンとを有することを特徴とする、請求項５に記載の跳ね上げ式眼鏡。
【請求項７】
前記主鏡枠の前記ブリッジ接続部には収容溝が凹設されており、前記収容溝には金属ホゾボックスが収容されており、前記金属ホゾボックスはスライド溝と、前記スライド溝の溝壁に開設され二つの側縁が前記スライド溝へ延在し二つのホゾが形成されているボタン凹穴とを有することを特徴とする、請求項６に記載の跳ね上げ式眼鏡。
【請求項８】
前記Ｕ字型ドームが前記スライド溝に弾性的に挿入され前記二つのホゾに当接され得ることを特徴とする、請求項７に記載の跳ね上げ式眼鏡。
【請求項９】
前記ボタンは前記Ｕ字型ドームを内へ圧縮させ前記二つのホゾから離脱させるために配置されることを特徴とする、請求項８に記載の跳ね上げ式眼鏡。
【考案の詳細な説明】
【技術分野】
【０００１】
本考案は眼鏡に関し、特に跳ね上げ式眼鏡に関する。
【背景技術】
【０００２】
眼鏡は現代人にとって一般的な装備であり、それにより目の焦点距離を調整しても装飾にも用いられている。眼鏡は多くの人にとって掛け替えのない存在である。しかし、野外で各種の活動を行い、日光が強すぎる場合、眼鏡をかけるため人々はさらにサングラスを着用することができず、また視力矯正効果を有するサングラスを買わなければならないので、使用上では非常に利便性を有せず、さらにユーザに大きなお金の負担を負わせることとなる。このため、業者は既存の眼鏡フレームの中央部位においてピボットを介して別の眼鏡フレームと結合するように設計したが、ピボットに位置決めの構造が設けられていないので、はね上げ時に転落しやすく、使用上では迷惑をかけかねない。
【０００３】
それで、本考案者は上記デメリットを感じて改善を行い、鋭意検討し理論運用に合わせて、設計が合理であり上記デメリットを効果的に改善する本考案を提案した。
【考案の概要】
【考案が解決しようとする課題】
【０００４】
本考案の主な目的は、上記問題を解決するために、跳ね上げ式眼鏡を提供することである。
【課題を解決するための手段】
【０００５】
上述したことを達成するために、本考案は、
主鏡枠を有し、前記主鏡枠の二つの外側端には二つのテンプルが接続されており、前記主鏡枠の真中のブリッジ接続部には水平に前方へ延びる接続シートが接続されており、前記接続シートには対向する二つの係合溝が開設されており、前記接続シートの前端縁と前記二つの係合溝との間に矩形の二つの位置決め部が形成されている主眼鏡フレームと、サブ鏡枠を有し、前記サブ鏡枠の真中のブリッジ接続部の上縁には対向する二つの溝が形成されているサブ眼鏡フレームと、前記主鏡枠と前記サブ鏡枠との間に位置し、シート状部と、前記シート状部の上縁に形成されるとともに外に折り曲げられる二つの鉤状部とを有し、前記シート状部が前記サブ鏡枠のブリッジ接続部の内側に固定され、前記二つの鉤状部が前記二つの係合溝を貫通し前記二つの位置決め部を押さえ前記二つの溝に当接されることで、前記二つの位置決め部が前記サブ鏡枠のブリッジ接続部と前記二つの鉤状部によって挟持される掛止ドームとを備える跳ね上げ式眼鏡を提供する。
【０００６】
本考案の一実施例において、前記接続シートの後端縁が前記主鏡枠のブリッジ接続部の上縁に一体的に接続される。
【０００７】
本考案の一実施例において、前記主鏡枠には二つの第１の眼鏡レンズが装着されており、前記サブ鏡枠には二つの第２の眼鏡レンズが装着されている。
【０００８】
本考案の一実施例において、前記シート状部の末端がカシメ方式により前記サブ鏡枠のブリッジ接続部の内側に固定される。
【０００９】
本考案の一実施例において、前記接続シートの後端縁に弾性係止材が接続されており、前記接続シートが前記弾性係止材を介して前記主鏡枠のブリッジ接続部に接続される。
【００１０】
本考案の一実施例において、前記弾性係止材は、Ｕ字型ドームと、前記Ｕ字型ドームの末端縁から後ろに延在し形成されるボタンとを有する。
【００１１】
本考案の一実施例において、前記主鏡枠のブリッジ接続部には収容溝が凹設されており、前記収容溝には金属ホゾボックスが収容されており、前記金属ホゾボックスはスライド溝と、前記スライド溝の溝壁に開設されるボタン凹穴とを有し、前記ボタン凹穴の二つの側縁が前記スライド溝へ延在し二つのホゾが形成されている。
【００１２】
本考案の一実施例において、前記Ｕ字型ドームが前記スライド溝に弾性的に挿入され前記二つのホゾに当接され得る。
【００１３】
本考案の一実施例において、前記ボタンは前記Ｕ字型ドームを内へ圧縮させ前記二つのホゾから離脱させるために配置される。
【００１４】
本考案が提供する跳ね上げ式眼鏡は、接続シートの位置決め部がサブ鏡枠のブリッジ接続部と掛止ドームの鉤状部によって挟持され得ることで、サブ眼鏡フレームは小さな力のみを施せば、持ち上げ作業又は折り畳み作業を自動的に完成でき、サブ眼鏡フレームの跳ね上げた後の位置決めが非常に正確になる。
【図面の簡単な説明】
【００１５】
【図１】本考案に係る第１の実施例の模式的分解斜視図１である。
【図２】本考案に係る第１の実施例の模式的分解斜視図２である。
【図３】本考案に係る第１の実施例の模式的組合せ斜視図１である。
【図４】本考案に係る第１の実施例の模式的組合せ斜視図２である。
【図５】本考案に係る第１の実施例の作動模式図１である。
【図６】本考案に係る第１の実施例の作動模式図２である。
【図７】本考案に係る第１の実施例の作動模式図３である。
【図８】本考案に係る第２の実施例の模式的分解斜視図である。
【図９】本考案に係る第２の実施例の模式的組合せ斜視図である。
【図１０】本考案に係る第２の実施例の作動模式図１である。
【図１１】本考案に係る第２の実施例の作動模式図２である。
【考案を実施するための形態】
【００１６】
以下に特定の具体的実施例により、本考案に開示される「跳ね上げ式眼鏡」に関する実施の態様を説明する。当業者は、本明細書に開示される内容から本考案のメリットと効果が判る。本考案は他の異なる具体的実施例により実施または適用することができ、本明細書中のそれぞれの詳細は、異なる観点と適用に基づき、本考案の趣旨を逸脱することなく各種の変形と変更を行ってもよい。また、本考案の添付図面は簡単な模式的説明に過ぎず、実際の寸法に従い描かれるものではないことを明らかにしておく。以下の実施の態様は、本考案の関連技術内容をさらに詳しく説明するが、開示される内容は本考案の技術範囲を制限するためのものではない。なお、本明細書において、用語「第１」、「第２」、「第３」等を用いて各種の部品等を説明するが、これらの部品はこれらの用語によって制限されるべきではない。これらの用語は一部品と別の部品を区別するためのものである。以下に説明される実施例において数又はその類似の表現を記載する場合、特に明記しない限り、本考案の応用範囲はその数又はその類似の表現に制限されるべきではない。また、本考案に記載する方向用語、例えば、左、右、上又は下等は、単に添付図面の方向を参考するものに過ぎず、本考案を説明するためのものであり、それを制限するものではない。
【００１７】
図１乃至図７を参照する。図１乃至図７は、本考案に係る第１の実施例が提供する跳ね上げ式眼鏡である。図１に示すように、本考案が提供する跳ね上げ式眼鏡によれば、主として主眼鏡フレーム１と、サブ眼鏡フレーム２と、掛止ドーム３とを備える。
【００１８】
主眼鏡フレーム１は、超軽金属、例えばアルミニウム合金、チタン合金等を用いる主鏡枠１１を有する。
【００１９】
主鏡枠１１の二つの外側端には二つのテンプル１２が接続されており、主鏡枠１１の真中のブリッジ接続部１１１には水平に前方へ延びる接続シート１３が接続されており、接続シート１３には対向する二つの係合溝１３１が開設されており、接続シート１３の前端縁と二つの係合溝１３１との間に矩形の二つの位置決め部１３２が形成されている。本実施例において、接続シート１３の後端縁が主鏡枠１１のブリッジ接続部１１１の上縁に一体的に接続される。また、主鏡枠１１のアウトラインとノーズパッド部位は図示するものに制限されるものではなく、実際の要求に応じて適当に変化してもよい。
【００２０】
主眼鏡フレーム１には主鏡枠１１に対応する二つの第１の眼鏡レンズ１４が装着されており、第１の眼鏡レンズ１４は近視レンズであってもよいが、老眼又は乱視レンズであってもよく、これらに限定されるものではない。
【００２１】
サブ眼鏡フレーム２はサブ鏡枠を有し２１、同様に超軽金属を採用する。サブ鏡枠２１の真中のブリッジ接続部２１１の上縁には対向する二つの溝２１２が形成されており、前記二つの溝２１２の間に止めバンプ２１３が形成されている。
【００２２】
サブ眼鏡フレーム２にはサブ鏡枠２１に対応する二つの第２の眼鏡レンズ２２が装着されている。第２の眼鏡レンズ２２は、サングラスレンズであることが好ましいが、老眼又は乱視レンズであってもよく、これらに限定されるものではない。
【００２３】
掛止ドーム３は主鏡枠１１とサブ鏡枠２１との間に位置する。掛止ドーム３は、シート状部３１と、シート状部３１の上縁に形成されるとともに外に折り曲げられる二つの鉤状部３２とを有する。シート状部３１がサブ鏡枠２１のブリッジ接続部２１１の内側に固定され、前記二つの鉤状部３２が接続シート１３の二つの係合溝１３１を貫通し接続シート１３の二つの位置決め部１３２を押さえ、サブ鏡枠２１のブリッジ接続部２１１の上縁の二つの溝２１２に当接されることで、二つの位置決め部１３２がサブ鏡枠２１のブリッジ接続部２１１と掛止ドーム３の鉤状部３２によって挟持される。サブ鏡枠２１及び掛止ドーム３が前記二つの位置決め部１３２を挟持することにより、ヒンジ構造を形成する。
【００２４】
本実施例のシート状部３１の末端はリベット２３を介してカシメ方式によりサブ鏡枠２１のブリッジ接続部２１１の内側に固定される。他の実施例において、シート状部３１の末端は係止の方式によりサブ鏡枠２１のブリッジ接続部２１１の内側に固定されてもよい。
【００２５】
サブ眼鏡フレーム２を跳ね上げる場合、図５乃至図７に基づき、掛止ドーム３の鉤状部３２は接続シート１３の位置決め部１３２を支点として回転し、接続シート１３の位置決め部１３２が掛止ドーム３の鉤状部３２を押し当て反発力を生じ、掛止ドーム３の反発力はサブ眼鏡フレーム２の時計回り回転を駆動するので、ユーザが小さな力のみでサブ眼鏡フレーム２を外へ押し（図６）、掛止ドーム３の反発力により、サブ眼鏡フレーム２が直接時計回りに持ち上げ状態に回転する（図７）。そして、サブ鏡枠２１のブリッジ接続部２１１と位置決め部１３２は平面と平面間の当接作用となるとともに、掛止ドーム３の鉤状部３２と位置決め部１３２は平面と平面間の当接作用となるので、サブ眼鏡フレーム２の跳ね上げた後の位置決めが非常に正確になる。
【００２６】
相対的に、サブ眼鏡フレーム２を折り畳む場合、図７乃至図５に基づき、掛止ドーム３の鉤状部３２は接続シート１３の位置決め部１３２を支点として回転し、接続シート１３の位置決め部１３２が掛止ドーム３の鉤状部３２を押し当て反発力を生じ、掛止ドーム３の反発力はサブ眼鏡フレーム２の時計回り回転を駆動するので、ユーザが小さな力のみでサブ眼鏡フレームを下へ押し（図６）、掛止ドーム３の反発力により、サブ眼鏡フレーム２が直接逆時計回りに折り畳み状態に回転する（図５）。以上のように、サブ眼鏡フレーム２は小さな力のみを施せば、持ち上げ作業又は折り畳み作業を自動的に完成できる。
【００２７】
図８乃至図１１を参照する。図８乃至図１１は本考案に係る第２の実施例が提供する跳ね上げ式眼鏡である。サブ眼鏡フレーム２が主眼鏡フレーム１から分離し、又は異なるスタイルのサブ眼鏡フレーム２を交換することができるように、本実施例の接続シート１３の後端縁にはさらに弾性係止材１５が接続されており、接続シート１３は弾性係止材１５を介して主鏡枠１１のブリッジ接続部１１１に着脱自在に接続される。
【００２８】
詳しくは、弾性係止材１５は、Ｕ字型ドーム１５１と、Ｕ字型ドーム１５１の末端縁から折り曲げられ、後ろに延在し形成されるボタン１５２とを有する。そして、本実施例の主眼鏡フレーム１の主鏡枠１１がプラスチック材料を用いるので、そのブリッジ接続部１１１には収容溝１１１０が凹設されていてもよく、収容溝１１１０には金属ホゾボックス１６が収容されており、金属ホゾボックス１６は、リベット１７を介してカシメ方式により収容溝１１１０に固定され、スライド溝１６１と、スライド溝１６１に開設される溝壁のボタン凹穴１６２とを有し、ボタン凹穴１６２の二つの側縁がスライド溝１６１に延在し二つのホゾ１６３が形成されている。図１０に示すように、Ｕ字型ドーム１５１は弾性的にスライド溝１６１に挿入され、Ｕ字型ドーム１５１の末端縁が二つのホゾ１６３の下端に当接される場合、ロックを実現することができる。ボタン１５２はボタン凹穴１６２に露出し、Ｕ字型ドーム１５１を内へ圧縮させ二つのホゾ１６３から離脱させるために配置される。このため、図１１に示すように、ボタン１５２を押圧し、Ｕ字型ドームの末端縁を内へ圧縮させホゾ１６３の下端から離脱させ、この場合、Ｕ字型ドーム１５１は金属ホゾボックス１６から取り出し、サブ眼鏡フレーム２が主眼鏡フレーム１から分離することができる。本実施例はサブ眼鏡フレームに可動跳ね上げ機能を付与するに加え、さらにサブ眼鏡フレームに使用の要求に応じて、又は構造損害により分離機能を付与し、かつ異なるスタイルのサブ眼鏡フレームをさらに交換できるので、サブ眼鏡フレームに装着される異なる色又は機能の眼鏡レンズは、異なるスタイルと機能を提供する。
【００２９】
上述したことは本考案の好ましい実施例に過ぎず、本考案の特許請求範囲を制限するためのものではないので、本考案の明細書及び添付図面内容に基づき為された等価の変化は、同様に全て本考案の権利保護範囲に含まれることを説明しておく。
【符号の説明】
【００３０】
１    主眼鏡フレーム
１１    主鏡枠
１１１    ブリッジ接続部
１１１０    収容溝
１２    テンプル
１３    接続シート
１３１    係合溝
１３２    位置決め部
１４    第１の眼鏡レンズ
１５    弾性係止材
１５１    Ｕ字型ドーム
１５２    ボタン
１６    金属ホゾボックス
１７    リベット
１６１    スライド溝
１６２    ボタン凹穴
１６３    ホゾ
２    サブ眼鏡フレーム
２１    サブ鏡枠
２１１    ブリッジ接続部
２１２    溝
２１３    止めバンプ
２２    第２の眼鏡レンズ
２３    リベット
３    掛止ドーム
３１    シート状部
３２    鉤状部
【図１】
0003215524.tif 000003
【図２】
0003215524.tif 000004
【図３】
0003215524.tif 000005
【図４】
0003215524.tif 000006
【図５】
0003215524.tif 000007
【図６】
0003215524.tif 000008
【図７】
0003215524.tif 000009
【図８】
0003215524.tif 000010
【図９】
0003215524.tif 000011
【図１０】
0003215524.tif 000012
【図１１】
0003215524.tif 000013